(57)【要約】【課題】便利に使用できる電子カードコネクターを提供する。【解決手段】プラスチック本体１と二つのアース部品２とを含む。プラスチック本体１にはベース部１１があって、ベース部１１は多数の端子１１３ａ及び端子１１３ｂが嵌設され、両側に個別に側アーム１２が突伸する。アース部品２はベース部１１の両側に嵌置かれ、個別にＵ字形断面段２５が突設され、一体で板体２１に連伸して、対応して側アーム１２を中心に包挟んで、側アーム１２の強度を補強する。Ｕ字形断面段２５は側アーム１２の前段を包挟み、末端の第一側縁は一体で第一弾性アーム２６が延伸し、末端の第二側縁は一体で第二弾性アーム２７が延伸し、第一弾性アーム２６及び第二弾性アーム２７は側アーム１２の後段の両側に包挟む。【選択図】　　図２
0003099585.tif 000002
【実用新案登録請求の範囲】
【請求項１】
一つのプラスチック本体と二つのアース部品とを含む電子カードコネクターであって、
該プラスチック本体は一つのベース部があって、該ベース部には多数の端子が嵌設され、電気で差し込んだ電子カードと連接し、並びに該ベース部の両側に個別に一本の側アームが突伸し、
該二つのアース部品は、個別に該ベース部の両側に嵌置かれ、並びに一つの回路板のアース回路と連接し、尚且つ各該アース部品は個別に一つのＵ字形断面段が突設され、一体で板体上に連伸して、対応して該プラスチック本体の側アームを中心に包挟んで、該側アームの強度を補強し、
各該Ｕ字形断面段は対応して該側アームの前段を包挟み、そして、該Ｕ字形断面段の末端の第一側縁は一体で一本の第一弾性アームが延伸し、別に該Ｕ字形断面段の末端の第二側縁は一体で一本の第二弾性アームが延伸し、該第一弾性アーム及び第二弾性アームは該側アームの後段の両側に包挟んでいることを特徴とする電子カードコネクター。
【請求項２】
前記の各アース部品は、一つの板体があり、一つの嵌接部があり、該嵌接部は該板体の前縁から前に向かって突伸し、並びに該嵌接部の側板縁に最小一つのつめ歯が突設され、一つのアース板があり、該アース板は該板体の一側板縁から下に向かって湾曲して延伸し、一つのアースばね板があり、該アースばね板は該板体の板縁から後ろ及び上に向かって一つの自由端傾斜向きを形成して突伸し、一本の第一弾性アームは該Ｕ字形断面段の第一側縁から一体で延伸して一本の自由弾性アームを形成し、一本の第二弾性アームは該Ｕ字形断面段の第二側縁から一体に延伸して該第二弾性アームの末端に一つの鉤部を形成して対応して該側アームの末端の鉤穴に掛け込まれ、一つの定位区があり、該定位区は一体式の板状で、並びに該第二弾性アームの頂縁から下に向かって湾曲して延伸し、該定位区の第一側には一つの第一定位部が形成され、該定位区の第二側に一つの第二定位部が形成されていることを特徴とする請求項１記載の電子カードコネクター。
【請求項３】
各該アース部品は、一つの突肩が突設されて、該プラスチック本体の一つの肩部の外に貼り寄せられていることを特徴とする請求項２記載の電子カードコネクター。
【請求項４】
該プラスチック本体の各側縁の内側の底縁には、一つの凹溝が凹設され、該アース部品のＵ字形断面段の自由段の底縁を中にはめて接していることを特徴とする請求項２記載の電子カードコネクター。
【考案の詳細な説明】
【０００１】
【考案の属する技術分野】
本考案は、一種の電子カードコネクターに関し、特に、一種の電子カードコネクターのプラスチック本体の両側に個別に一つのアース部品を嵌設し、各該アース部品は個別に一つのＵ字形断面段が設けられていて、該Ｕ字形断面段は対応して該プラスチック本体の側アームの前段を中に包挟み、並びに該Ｕ字形断面段の両側の一体で延伸した第一弾性アーム及び二弾性アームで弾性的に該側アームの後段を包挟んで該側アームの強度を補強し、並びに該側壁に一つの適当な弾性がある偏移余裕度をもたせる。
【０００２】
【従来の技術】
現在一般に電子カードの連接に応用されている電子カードコネクターは、下記のものを含む。一つのプラスチック本体。該プラスチック本体のベース部は、並列に多数個の端子が嵌設されていて、電気で差し込んだ電子カードと連接し、別に該プラスチック本体の両側に個別に一本の側アームが突伸している。使用者が一つの電子カードを差し込む時、外に向かって少々両側アームを広げた後に、電子カードをスムーズにプラスチック本体のベース部の中に差し込んで、各端子と電気連接し、並びに両側アームで安定して該電子カードを掛け止めて、電子カードが後に退出するのを阻害する。しかし、両側アームは一つの細くて小さい板体であるので、使用時では常時電子カードの差し込みによって両側アームが過度に外に向かって開くことが生じ、断裂或いは弾性疲労を起こし、該両側アームは安定して電子カードを固く差し止めることができないため、コネクターは損壊し、使用寿命を短縮させるのが欠点である。
【０００３】
上記の欠点を改善するために、本考案の申請人と同じ申請人は、前に一種の考案の電子カードコネクターを貴庁に提出して実用新案登録請求済みで、出願番号は２００３−００３２６４号であり、該考案の電子カードコネクターは図１で示す如しであり、下記のものを含む。一つのプラスチック本体８。該プラスチック本体８は、一つのベース部８１があって、該ベース部８１に多数個の端子８２が嵌設されていて、電気で該差し込んだ電子カードと連接し、並びにベース部８１の両側に個別に一本の側アーム８３が突伸する。両アース部品９。該アース部品９は、個別に該ベース部８１の両側に嵌置かれて、各一つのアースばね板９１と一つのＵ字形断面段９２とを含み、該Ｕ字形断面段９２は対応して該プラスチック本体の側アーム８３を中心に包挟んで、該側アーム８３の強度を補強し、尚且つ各該アース部品９上に個別に一つの第一定位部９３及び一つの第二定位部９４が突設され、これによって一枚の電子カードを電子カードコネクターの中に差し込んだ時に、該アースばね板９１は弾性的に該電子カードの底部のアース接点に突き貼られる。そして、該第一定位部９３は、該電子カードの頂面のアース接点に突き寄せられる。同時に該電子カードが上に向かって跳び離れるのを阻害する。別に該第二定位部９４は、対応して該電子カードの一つの定位穴の中に伸び置かれて、該電子カードが後に向かって退出するのを阻害する。でも、該考案はやはり応用上では下記のような美中の不足なる点がある。
【０００４】
１．該アース部品９のＵ字形断面段９２は、完全に該プラスチック本体の側アーム８３の両側を包挟んで、全段の側アーム８３の強度を補強しているが、側アーム８３は全段がＵ字形断面段９２の包挟みを経た後では、大幅に弾性偏移の空間が下げられている。即ち、該側アーム８３は容易に外に向かって広がることができないので、使用上では比較的不便である。
【０００５】
２．該第一定位部９３及び該第二定位部９４は個別に一つの独立の板体であるため、該板体の板幅は極めて小さく、比較的大きい力の衝撃を受けることができず、落下テストを進行する時では、常時、瞬間の外力の作用によって湾曲変形を起こす。
【０００６】
【考案が解決しようとする課題】
しかしながら、上記のように、本考案人が提出した出願番号第２００３−００３２６４号はまだ前記に述べた該側アーム８３の外に向かって容易に広げることができない使用上の不便さと、該第一定位部９３及び該二定位部９４が比較的大きい力の衝撃を受けることができない欠点がある。
【０００７】
【課題を解決するための手段】
本考案は、前記の点を解決するためになされたものであり、一種の新鋭なる電子カードコネクターを提供する。該電子カードコネクターは、一つのプラスチック本体と二つのアース部品とを含む。該プラスチック本体は多数個の端子が嵌設されていて、並びに両側に個別に一本の側アームが突伸している。該アース部品は、個別にプラスチック本体の両側に嵌置かれていて、尚且つ個別に一枚のアースばね板及び一つのＵ字形断面段を含んでいて、Ｕ字形断面段で該プラスチック本体の側アームの前段を包挟んで、側アームの前段の強度を補強し、並びにＵ字形断面段の第一側に一本の第一弾性アームが延伸する。そして、その第二側に一本の第二弾性アームが延伸して、第一弾性アーム及び第二弾性アームをプラスチック本体の側アームの後段の両側に包挟む。尚且つ第二弾性アームの頂縁には、下に向かって一つの一体式の板状の定位区が湾曲して形成されている。これによって、電子カードが電子カードコネクターに差し込まれる時、該プラスチック本体の両側の側アームの前段は個別にアース部品のＵ字形断面段の全面の包挟みを受けて補強される。そして、各側アームの後段はＵ字形断面段の包挟みを受けず、尚且つ該第一弾性アームの弾性を受けて外側に突き貼られる。これで、各側アームを自由に外に向けて偏動させることができる以外に、該第一弾性アームの弾性力によって該側アームが過度に広かれて断裂が生じることを避け、電子カードコネクターの使用寿命を増進する効果が達成される。
【０００８】
各該第二弾性アームの頂縁の下に向かって湾曲した定位区は、一体式の板状に成っていて、該定位区の慣性モメントを増加し、有効的に該定位区の強度を増進して、外力によって生じる変形を避ける効果を達成する。
【０００９】
【考案の実施の形態】
以下、図面に従って、本考案の実施例を説明する。
図２から図８をご参照ください。本考案の一実施例による電子カードコネクター１００は、下記のものを含む。一つのプラスチック本体１。該プラスチック本体１は一つのベース部１１を含む。該ベース部１１の両側には個別に一つの側アーム１２が突設されている。両アース部品２は個別に該プラスチック本体１の両側に嵌置かれていて、並びに回路板４のアース回路と連接している。各該アース部品２は個別に一つのＵ字形断面段２５が設けられていて、対応して該プラスチック本体１の側アーム１２の前段を中に包挟んで、該段の側アーム１２の強度を補強する。
【００１０】
上記に述べた構造の特徴は、すでに本考案の出願人が前に貴庁に向かって出願した実用新案登録願である出願番号第２００３−００３２６４号の中に示されています。でも、審査委員に容易に本考案の構造の特徴を了承して頂くために、やはり下記に同時に説明いたします。しかし、本考案の申請標的は登録請求の範囲に基づいて界定することを事前に申明いたします。
【００１１】
図２及び図３をご参照ください。本実施例が示したプラスチック本体１は、一体成形で下記のものを含む。一つのベース部１１。該ベース部１１の一側に一つの差し穴１１１が凹設されて、丁度よく一枚の電子カード３の前縁が差し込まれ、並びに該差し穴１１１の上側及び下側に個別に並列に多数個の端子穴１１２ａ及び端子穴１１２ｂが通し設けられて、個別に一つの端子１１３ａ又は端子１１３ｂが中に嵌置かれ、該端子１１３ａ及び該端子１１３ｂによって電気で差し込んだ電子カード３の回路と連接する。両側アーム１２は、該ベース部１１の両側に突伸している。二つの嵌穴１３は、該ベース部１１から中に向かって凹設されて、丁度よく一つのアース部品２の嵌接部２２を中に嵌め込む。
【００１２】
図２、図４及び図５をご参照ください。本実施例が示すアース部品２は、金属板材がプレスされて一体に成形され、下記のものを含む。一つの板体２１。一つの嵌接部２２は該板体２１の前縁から前に向かって突伸し、並びに該嵌接部２２の側板縁に最少一つのつめ歯２２１が突設されて、固く該プラスチック本体１の嵌穴１３の中にはめ込まれている。一枚のアース板２３は、該板体２１の一つの側板縁から下に向かって湾曲して延伸し、半円で一枚の回路板４のアース回路上に連結する。一枚のアースばね板２４は、該板体２１の板縁から後ろ及び上に向かって一つの自由端の傾斜向きに突伸する。一つのＵ字形断面段２５は、一体で該板体２１の上に連伸して、対応して該プラスチック本体１の側アーム１２の前段を中に包挟んで、該側アーム１２の強度を補強する。一つの第一弾性アーム２６は、該Ｕ字形断面段２５の第一側縁から一体に延伸して、一本の自由弾性アームになって、弾性的に該側アーム１２の外側に突貼る。一本の第二弾性アーム２７は、該Ｕ字形断面段２５の第二側縁から一体で延伸して、該第二弾性アーム２７の末端の所に一つの鉤部２７１が形成されて、対応して該側アーム１２の末端の鉤穴１２１に掛け込む。一つの定位区２８は、一体式の板状であり、並びに該第二弾性アーム２７の頂縁から下に向かって湾曲して延伸し、該定位区２８の第一側には一つの第一定位部２８１が形成されている。そして、該定位区２８の第二側には一つの第二定位部２８２が形成されている。
上記に示したアース部品２は、その中の該板体２１の一側は尚一つの突肩２９が突設されて、該プラスチック本体１の一つの肩部１４の外に貼寄せている。
【００１３】
本実施例が示す電子カードコネクター１００は、その中の該プラスチック本体１の各側アーム１２の内側底縁に尚一つの凹溝１２２が凹設され、丁度よく該アース部品２のＵ字形断面段２５の自由段の底縁２５１を中にはめ接して、該Ｕ字形断面段２５を固く該側アーム１２の前段の両側に包挟むことができる。
【００１４】
本実施例が示す電子カードコネクター１００は、使用者が一枚の電子カード３を差し込む時、その中の該アース部品２のアースばね板２４は弾性的に該電子カード３の底部のアース接点３１に突貼る。そして、定位区２８の第一側の第一定位部２８１の底縁は該電子カード３の頂面アース接点３２に突寄せられて、同時に該電子カード３が上に向かって跳び離れるのを阻害する。別に該定位区２８の第二側の第二定位部２８２の底段は対応して該電子カード３の一つの定位穴３３の中に伸置されて、該電子カード３が後に向かって退出するのを阻害する。このように本実施例の電子カードコネクター１００と差し込んだ電子カード３とは多点アースを形成して、電子カード３の信号伝送をさらに安定させる。
【００１５】
上記で述べたように、本考案の実施例には下記の特徴と伏点がある。
１．該Ｕ字形断面段２５は完全にプラスチック本体の側アーム１２を包挟むのではなく、只側アーム１２の前段を包挟み、並びに一体で該Ｕ字形断面段２５の第一弾性アーム２６から弾性的に該側アーム１２の後段の外側に突貼って、本考案と同じ考案及び出願人が前に申請した考案を改善する。前案では該側アーム１２は全段が皆Ｕ字形断面段によって包挟まれているので、自由に容易に外に向かって広くことができない欠点がある。本考案が示す電子カードコネクターは操作上、更に簡単でスムーズである。
【００１６】
２．各該アース部品２の第二弾性アーム２７の上の定位区２８は一体式の板状であって、該定位区２８の慣性モメントを増やすことができるので、有効に落下テスト時に変形が生じることを避けることができて、差し込まれた電子カードは固く掛け込むことができる。
【００１７】
特に強調する点は、もしも本考案の構想を一部変更した後に生じた効果及び作用が本明細書と図面を含む範囲である場合は、すべて本考案の範囲と見なすべきである。
【図面の簡単な説明】
【図１】従来の電子カードコネクターの分解斜視図である。
【図２】本考案の一実施例による電子カードコネクターの分解斜視図である。
【図３】本考案の一実施例による電子カードコネクターの斜視図である。
【図４】本考案の一実施例による電子カードコネクターのアース部品の斜視図である。
【図５】本考案の一実施例による電子カードコネクターのアース部品を別の方向から見た斜視図である。
【図６】本考案の一実施例による電子カードコネクターの電子カードとの関係を示す模式図である。
【図７】本考案の一実施例による電子カードコネクターを底面から見た模式図である。
【図８】図７を８−８線で切断した断面図である。
【符号の説明】
１　　プラスチック本体
２　　アース部品
３　　電子カード
４　　回路板
１１　　ベース部
１２　　側アーム
１３　　嵌穴
１４　　肩部
２１　　板体
２２　　嵌接部
２３　　アース板
２４　　アースばね板
２５　　Ｕ字形断面段
２６　　第一弾性アーム
２７　　第二弾性アーム
２８　　定位区
２９　　突肩
３１　　底部アース接点
３２　　頂面アース接点
３３　　定位穴
１００　　電子カードコネクター
１１１　　差し穴
１１２ａ　端子穴
１１２ｂ　端子穴
１１３ａ　端子
１１３ｂ　端子
１２１　　鉤穴
１２２　　凹溝
２２１　　つめ歯
２５１　　底縁
２７１　　鉤部
２８１　　第一定位部
２８２　　第二定位部
【図１】
0003099585.tif 000003
【図２】
0003099585.tif 000004
【図３】
0003099585.tif 000005
【図４】
0003099585.tif 000006
【図５】
0003099585.tif 000007
【図６】
0003099585.tif 000008
【図７】
0003099585.tif 000009
【図８】
0003099585.tif 000010